(57)【要約】【課題】取付基板や開閉扉に設けられた立体意匠に遊技球が接触するのを抑制し得る入賞装置を提供する。【解決手段】入賞装置２０は、遊技盤の盤面に配設される取付基板２２と、該取付基板２２に開設された開口部２３と、取付基板２２に回動自在に設けられた開閉扉２７とを備える。開閉扉２７の前面に、第１の立体文字５０が形成され、閉成位置の開閉扉２７は、上端部２８後面が取付基板２２における当接部２６に当接して、開閉扉２７の前面が下方から上端部２８に向けて前方に傾斜する姿勢に保持される。閉成位置の開閉扉２７における上端部２８の前面は、第１の立体文字５０より前方に位置している。また、取付基板２２における当接部２６の上縁に第１のテーパ５６が形成されると共に、開閉扉２７の上端部２８に第２のテーパ５８が形成され、両テーパ５６,５８は前方へ向けて略同一角度で下方傾斜して連続面を構成する。【選択図】図４
2008125673.tif 000002
【特許請求の範囲】
【請求項１】
遊技盤の盤面に臨む入賞口の前側に配設される取付基板と、該入賞口に整合するよう取付基板に開設されて遊技球が入賞可能な開口部と、取付基板に回動自在に設けられ、開口部への遊技球の入賞を規制する閉成位置から、上端部を前方へ傾斜させて開口部への遊技球の入賞を許容する開放位置まで姿勢変移する開閉部材とを備えた入賞装置において、
前記開閉部材の前面に、所要高さで盛り上がり塗装が施された立体意匠が形成され、前記閉成位置の開閉部材は、上端部後面が前記取付基板における開口部の上縁を画成する当接部に当接して、該開閉部材の前面が下方から上端部に向けて前方に傾斜する姿勢に保持されると共に、該上端部の前面が前記立体意匠より前方に位置するよう設定され、
前記取付基板における前記当接部の上縁に第１のテーパが形成されると共に、前記開閉部材の上端部に第２のテーパが形成され、両テーパは前方へ向けて下方傾斜して連続面を構成している
ことを特徴とする入賞装置。
【請求項２】
前記取付基板の前面における前記開閉部材の側方に、所要高さで盛り上がり塗装が施された第２の立体意匠が形成され、該第２の立体意匠の上外周縁部に、取付基板の前面から第２の立体意匠の前面に向けて下方傾斜する第３のテーパを付すと共に、該第３のテーパに連続する第４のテーパを取付基板の上縁に下方傾斜するよう形成して、両第３,第４のテーパが連続面を構成する請求項１記載の入賞装置。
【請求項３】
前記取付基板の前面における開閉部材の下方に、閉成位置の開閉部材における上端部の前面に一致するまたは上端部の前面より後方に位置する高さで盛り上がり塗装が施された第３の立体意匠を形成した請求項１または２記載の入賞装置。
【請求項４】
遊技盤の盤面に臨む入賞口の前側に配設される取付基板と、該入賞口に整合するよう取付基板の中央位置に開設されて遊技球が入賞可能な開口部と、取付基板に回動自在に設けられ、開口部への遊技球の入賞を規制する閉成位置から、上端部を前方へ傾斜させて開口部への遊技球の入賞を許容する開放位置まで姿勢変移する開閉部材とを備えた入賞装置において、
前記開閉部材の前面に、所要高さで盛り上がり塗装が施された第１の立体意匠が形成され、前記閉成位置の開閉部材は、上端部後面が前記取付基板における開口部の上縁を画成する当接部に当接して、該開閉部材の前面が下方から上端部に向けて前方に傾斜する姿勢に保持されると共に、該上端部の前面が前記第１の立体意匠より前方に位置するよう設定され、
前記取付基板の前面には、前記開閉部材の両側方において所要高さで盛り上がり塗装が施された第２の立体意匠が形成されると共に、該開閉部材の下方において閉成位置の開閉部材における上端部の前面に一致するまたは上端部の前面より後方に位置する高さで盛り上がり塗装が施された第３の立体意匠が形成されて、前記第１,第２および第３の立体意匠により一連の立体意匠を構成し、
また、前記取付基板における前記当接部の上縁に第１のテーパが形成されると共に、前記開閉部材の上端部に第２のテーパが形成され、両第１,第２のテーパは前方へ向けて下方傾斜して連続面を構成し、
更に、前記第２の立体意匠の上外周縁部に、取付基板の前面から第２の立体意匠の前面に向けて下方傾斜する第３のテーパを付すと共に、該第３のテーパに連続する第４のテーパを取付基板の上縁に下方傾斜するよう形成して、両第３,第４のテーパが連続面を構成している
ことを特徴とする入賞装置。
【請求項５】
前記当接部における前記開口部の上縁を画成する部位に、前記第１のテーパの前端から後方へ凹む凹部を形成し、該凹部に、前記閉成位置にある開閉部材の上端部を収容するようにした請求項１〜４の何れか一項に記載の入賞装置。
【発明の詳細な説明】
【技術分野】
【０００１】
この発明は、遊技盤に配設される取付基板に設けた開口部を開閉部材で開閉することで、開口部への遊技球の入賞を許容または阻止する入賞装置に関するものである。
【背景技術】
【０００２】
代表的な遊技機であるパチンコ式遊技機は、機内にセットされる遊技盤の遊技領域に、各種図柄を変動および停止表示することで図柄変動ゲームを行なう液晶式やドラム式等の図柄表示装置が配設され、該図柄表示装置の下方位置に、図柄表示装置での図柄変動ゲームを開始させる契機となる始動入賞装置が配設されている。また、始動入賞装置の下方位置には、特別遊技の発生時に開放して遊技球の入賞を許容する入賞装置が配設されており、該入賞装置に遊技球が入賞することで、遊技機裏側に配設した球払出装置により、機表側に設けた球皿に賞球が払出されるようになっている(例えば、特許文献１参照)。
【０００３】
前記入賞装置は、遊技盤の前面に開設された入賞口に開口部を対応させた状態で該遊技盤の前面に配設される取付基板と、該取付基板の開口部に回動自在に配設されて開放時に開口部を開放すると共に、閉成時に該開口部の内部で垂直姿勢とされて入賞口を閉成する開閉扉とを備えている。この取付基板および開閉扉の前面には、デザイン装飾のための塗装や印刷が施されており、入賞装置の意匠面を構成している。
【特許文献１】特開２００６−２８０６１０号公報
【発明の開示】
【発明が解決しようとする課題】
【０００４】
ところで、遊技中において遊技領域に打ち込まれた遊技球が入賞装置の前側を通過する際、前記取付基板や開閉扉の前面に遊技球が偶発的に接触することがある。このような遊技球の接触が継続して発生すると、前記取付基板や開閉扉の塗装が遊技球の衝突によって剥離して、入賞装置の美観が損なわれてしまうことがある。殊に、取付基板や開閉扉に立体的な文字や模様等の立体意匠が形成されている場合には、該立体意匠に遊技球が接触する確率は増大し、立体意匠の塗装はより剥がれ易くなってしまう。従って、遊技球の接触を回避するため、開閉扉等の塗装を遊技球が接触し難い部位に制限したり、塗装後の開閉扉にトップコーティングをして接触による剥離を予防すると云った処理が必要となっていた。
【０００５】
一方、近年では、図柄表示装置が大型化する傾向が強まっており、これに伴い入賞装置の上下寸法を縮小することが求められている。しかるに、従来の入賞装置は、前述した如く、閉成時の開閉扉が入賞口(開口部)の内部に収まる構造とされているため、入賞装置の上下寸法を狭めるには、開閉扉の上下寸法も小さくする必要がある。ところが、開閉扉の上下寸法を小さくすると、それだけ開閉扉の面積も小さくなって、特別遊技時において開放した際にパチンコ球を拾い難くなる弊害がある。また、開閉扉の上下寸法を小さくすることで、開放時における開閉扉の上端部と遊技盤の保護ガラスとの離間距離が広がってしまい、遊技球がその隙間に詰まる問題も発生する。
【０００６】
そこで本発明は、従来の入賞装置に内在する前記問題に鑑み、これを好適に解決するべく提案されたものであって、取付基板および開閉部材に形成した立体意匠に遊技球が接触するのを抑制し得ると共に、装置本体の上下寸法を小さくした入賞装置を提供することを目的とする。
【課題を解決するための手段】
【０００７】
前記課題を克服し、所期の目的を達成するため、請求項１に係る発明の入賞装置は、
遊技盤(10)の盤面に臨む入賞口(68)の前側に配設される取付基板(22)と、該入賞口(68)に整合するよう取付基板(22)に開設されて遊技球(S)が入賞可能な開口部(23)と、取付基板(22)に回動自在に設けられ、開口部(23)への遊技球(S)の入賞を規制する閉成位置から、上端部(28)を前方へ傾斜させて開口部(23)への遊技球(S)の入賞を許容する開放位置まで姿勢変移する開閉部材(27)とを備えた入賞装置において、
前記開閉部材(27)の前面に、所要高さで盛り上がり塗装が施された立体意匠(50)が形成され、前記閉成位置の開閉部材(27)は、上端部(28)後面が前記取付基板(22)における開口部(23)の上縁を画成する当接部(26)に当接して、該開閉部材(27)の前面が下方から上端部(28)に向けて前方に傾斜する姿勢に保持されると共に、該上端部(28)の前面が前記立体意匠(50)より前方に位置するよう設定され、
前記取付基板(22)における前記当接部(26)の上縁に第１のテーパ(56)が形成されると共に、前記開閉部材(27)の上端部(28)に第２のテーパ(58)が形成され、両テーパ(56,58)は前方へ向けて下方傾斜して連続面を構成している
ことを特徴とする入賞装置。
請求項１の発明によれば、閉成位置において、開閉部材に設けられた立体意匠が開閉部材の上端部前面より後方に位置するようにしたので、入賞装置の前側を通過する遊技球が立体意匠に接触し難くなり、該立体意匠の塗装が剥離するのを抑制し得る。また、当接部の上縁および開閉部材の上端部に下方傾斜するテーパを形成したので、入賞装置の前側を通過する遊技球の流下方向が両テーパで構成される連続面により前方へ変更され、該遊技球が開閉部材の立体意匠に接触するのを抑制し得る。更に、開閉部材の上端部と取付基板の当接部とが当接する構成とすることで、開閉部材の上下寸法を変更することなく入賞口の高さを狭めることができるので、遊技盤の裏側に配設される入賞装置本体の上下寸法を小さくし得る。すなわち、近年の液晶装置の大型化に伴い要求される入賞装置本体の上下寸法の小型化を実現し得る。
【０００８】
請求項２に係る入賞装置では、前記取付基板(22)の前面における前記開閉部材(27)の側方に、所要高さで盛り上がり塗装が施された第２の立体意匠(52)が形成され、該第２の立体意匠(52)の上外周縁部に、取付基板(22)の前面から第２の立体意匠(52)の前面に向けて下方傾斜する第３のテーパ(60)を付すと共に、該第３のテーパ(60)に連続する第４のテーパ(64)を取付基板(22)の上縁に下方傾斜するよう形成して、両第３,第４のテーパが連続面を構成している。
請求項２の発明によれば、取付基板に形成した第２の立体意匠の上外周縁部にテーパを施したので、該立体意匠の上外周縁部に接触した遊技球の流下方向をテーパにより前方へ変更することができ、遊技球が第２の立体意匠に接触して塗装が剥離するのを抑制し得る。また、取付基板の上縁に設けた第４のテーパと第２の立体意匠に設けた第３のテーパとが連続するようにしたので、入賞装置の側部上方から通過する遊技球の流下方向が両テーパにより前方へ変更され、第２の立体意匠に遊技球が接触するのを更に抑制することが可能となる。
【０００９】
請求項３に係る入賞装置では、前記取付基板(22)の前面における開閉部材(27)の下方に、閉成位置の開閉部材(27)における上端部(28)の前面に一致するまたは上端部(28)の前面より後方に位置する高さで盛り上がり塗装が施された第３の立体意匠(54)を形成した。
請求項３の発明によれば、開閉部材の下方に設けた第３の立体意匠に対しても遊技球が接触するのを抑制し塗装が剥離するのを防止し得る。
【００１０】
前記課題を克服し、所期の目的を達成するため、請求項４に係る発明の入賞装置は、
遊技盤(10)の盤面に臨む入賞口(68)の前側に配設される取付基板(22)と、該入賞口(68)に整合するよう取付基板(22)の中央位置に開設されて遊技球(S)が入賞可能な開口部(23)と、取付基板(22)に回動自在に設けられ、開口部(23)への遊技球(S)の入賞を規制する閉成位置から、上端部(28)を前方へ傾斜させて開口部(23)への遊技球(S)の入賞を許容する開放位置まで姿勢変移する開閉部材(27)とを備えた入賞装置において、
前記開閉部材(27)の前面に、所要高さで盛り上がり塗装が施された第１の立体意匠(50)が形成され、前記閉成位置の開閉部材(27)は、上端部(28)後面が前記取付基板(22)における開口部(23)の上縁を画成する当接部(26)に当接して、該開閉部材(27)の前面が下方から上端部(28)に向けて前方に傾斜する姿勢に保持されると共に、該上端部(28)の前面が前記第１の立体意匠(50)より前方に位置するよう設定され、
前記取付基板(22)の前面には、前記開閉部材(27)の両側方において所要高さで盛り上がり塗装が施された第２の立体意匠(52)が形成されると共に、該開閉部材(27)の下方において閉成位置の開閉部材(27)における上端部(28)の前面に一致するまたは上端部(28)の前面より後方に位置する高さで盛り上がり塗装が施された第３の立体意匠(54)が形成されて、前記第１,第２および第３の立体意匠により一連の立体意匠を構成し、
また、前記取付基板(22)における前記当接部(26)の上縁に第１のテーパ(56)が形成されると共に、前記開閉部材(27)の上端部(28)に第２のテーパ(58)が形成され、両第１および第２のテーパ(56,58)は前方へ向けて下方傾斜して連続面を構成し、
更に、前記第２の立体意匠(52)の上外周縁部に、取付基板(22)の前面から第２の立体意匠(52)の前面に向けて下方傾斜する第３のテーパ(60)を付すと共に、該第３のテーパ(60)に連続する第４のテーパ(64)を取付基板(22)の上縁に下方傾斜するよう形成して、両第３,第４のテーパが連続面を構成していることを特徴とする。
請求項４の発明によれば、閉成位置において、開閉部材に設けられた第１の立体意匠が開閉部材の上端部前面より後方に位置するようにしたので、入賞装置の前側を通過する遊技球が立体意匠に接触し難くなり、該立体意匠の塗装が剥離するのを抑制し得る。また、当接部の上縁および開閉部材の上端部に下方傾斜するテーパを形成したので、入賞装置の前側を通過する遊技球の流下方向が両テーパで構成される連続面により前方へ変更され、該遊技球が第１の立体意匠に接触するのを抑制し得る。更に、開閉部材の上端部と取付基板の当接部とが当接する構成とすることで、開閉部材の上下寸法を変更することなく入賞口の高さを狭めることができるので、遊技盤の裏側に配設される入賞装置本体の上下寸法を小さくし得る。すなわち、近年の液晶装置の大型化に伴い要求される入賞装置本体の上下寸法の小型化を実現し得る。また、取付基板の両側に形成した第２の立体意匠の上外周縁部にテーパを施したので、該立体意匠の上外周縁部に接触した遊技球の流下方向をテーパにより前方へ変更することができ、遊技球が第２の立体意匠に接触して塗装が剥離するのを抑制し得る。また、取付基板の上縁に設けた第４のテーパと第２の立体意匠に設けた第３のテーパとが連続するようにしたので、入賞装置の側部上方から通過する遊技球の流下方向が両テーパにより前方へ変更され、第２の立体意匠に遊技球が接触するのを更に抑制することが可能となる。更に、開閉部材の下方に設けた第３の立体意匠に対しても遊技球が接触するのが抑制され塗装が剥離するのを防止し得る。すなわち、第１〜第３の立体意匠により構成された一連の立体意匠に対して、遊技球が接触するのを抑制することが可能となる。
【００１１】
請求項５に係る入賞装置では、前記当接部(26)における前記開口部(23)の上縁を画成する部位に、前記第１のテーパ(56)の前端から後方へ凹む凹部(62)を形成し、該凹部(62)に、前記閉成位置にある開閉部材(27)の上端部(28)を収容するようにした。
請求項５の発明によれば、開閉部材の上端部は、閉成位置において凹部に収容された状態となるので、遊技球が開閉部材の上端部に接触して該開閉部材が開放してしまうのを防止し得る。また、上端部が凹部に収容されることで、針金等で上端部を引っ掛けて開閉部材を不正開放すると云ったゴト行為を好適に防止し得る。
【発明の効果】
【００１２】
本発明に係る入賞装置によれば、遊技球の立体意匠への接触を抑制して、該立体意匠の塗装が剥離し難くなると共に、装置本体の上下寸法を小さくし得る。
【発明を実施するための最良の形態】
【００１３】
次に、本発明に係る入賞装置につき、好適な実施例を挙げて、添付図面を参照しながら、以下詳細に説明する。なお実施例では、遊技球としてパチンコ球を使用して遊技を行なう遊技機として一般的なパチンコ機に本発明の入賞装置を設けた場合を説明する。また、以下の説明において前・後および左・右とは、特に断りのない限り、図１に示すようにパチンコ機の遊技盤を正面側から見た場合において指称するものとする。
【実施例】
【００１４】
図１はパチンコ機に設けられる遊技盤１０の正面図を示す。実施例の遊技盤１０は、矩形状に形成されて、その前面側に略円形状に湾曲するレール１０ａが取付けられており、該レール１０ａにより画成される遊技領域１１に、図示しない発射装置によってパチンコ球Ｓを打出すようになっている。また、前記遊技盤１０の中央上方位置には、各種図柄変動および停止表示可能な液晶式の図柄表示装置１３を備えた大型の装飾部材１４が配設されており、前記遊技領域１１に打出されたパチンコ球Ｓが、遊技盤１０の装飾部材１４より下方位置に配設した始動入賞装置１６に入賞することで、図柄表示装置１３の図柄を変動させて所要の図柄変動ゲームを開始するようになっている。そして、図柄変動ゲームの結果、前記図柄表示装置１３に特定の図柄組合わせ(例えば、同一図柄の三つ揃)が表示されることで、遊技者に有利な特別遊技(所謂大当り)が発生するよう構成されている。また、前記遊技盤１０の下方位置には、前記特別遊技の発生時に開放してパチンコ球Ｓの入賞を許容する入賞装置２０が配設され、該入賞装置２０にパチンコ球Ｓが入賞することで、パチンコ機に設けた図示しない球皿に賞球を払出すようになっている。なお、前記遊技盤１０の前面には、透明な保護ガラス１８(図４参照)が配設されて、該遊技盤１０を保護している。
【００１５】
(入賞装置について)
図２に示すように、前記入賞装置２０は、遊技盤１０の前面に取付けられる取付基板２２と、該取付基板２２に回動自在に設けられた開閉扉(開閉部材)２７と、取付基板２２の後面に設けられて遊技盤１０の裏側に位置する装置本体２１とから基本的に構成される。そして、取付基板２２の隅部近傍に形成した４箇所の通孔２２ａ,２２ａ,２２ａ,２２ａ(図３参照)を介して、前記入賞装置２０は、遊技盤１０にネジ止め固定されるようになっている。また、入賞装置２０における遊技領域１１に臨む開閉扉２７の前面には、所要高さで盛り上がる第１の立体文字(第１の立体意匠)５０が形成されると共に、前記取付基板２２前面における開閉扉２７の両側および下方に第２,第３の立体文字(立体意匠)５２,５４が夫々形成されている。各立体文字５０,５２,５４の前面には、統一した色彩・模様の塗装が施され、これら第１〜第３の立体文字５０,５２,５４により一連のアルファベット文字(ＧＯＲＩＬＬＡ)を構成している。なお、第１〜第３の立体文字５０,５２,５４に施される塗装とは、表面に直接塗料を塗布する他に、立体文字表面にコーティングや印刷等の表面処理を含む概念である。
【００１６】
(取付基板について)
前記取付基板２２は、その前面中央にパチンコ球Ｓが通過可能な横長矩形状の開口部２３が開設され、前記装置本体２１内に画成されて所要の奥行きを有する入賞空間２５の前方に開設された入賞口６８に開口部２３が前方から整合している。図２(ｂ)に示すように、この入賞口６８は、入賞装置２０を遊技盤１０に配設した際に、遊技盤１０の前面(盤面)よりも後方で開口する一方、取付基板２２の開口部２３は、遊技盤１０の前面よりも僅かに前方で開口している。また、前記入賞口６８は、従来一般的に採用されている入賞口の上下寸法よりも小さく設定されており、前記開口部２３の上下寸法は、該入賞口６８と略一致している。すなわち、入賞口６８の上下寸法ｌ1(図４(ａ)参照)は、パチンコ球Ｓの直径よりも僅かに大きな値に設定され、入賞装置２０の装置本体２１の上下寸法の縮小化が図られている。
【００１７】
前記取付基板２２の開口部２３の両側方および下方には、前記第２,第３の立体文字５２,５４が形成されている。また、取付基板２２における前記開口部２３の上縁を画成する部位は当接部２６とされて、図４(ａ)に示すように、閉成時における前記開閉扉２７の上端部２８の裏面がこの当接部２６に当接するよう構成される。この当接部２６の上縁には、図５に示すように、前方へ向けて所要角度で下方傾斜する第１のテーパ５６が形成されている。また、この当接部２６の前面側に、前記第１のテーパ５６の前端から後方へ凹む凹部６２が形成され、閉成位置に開閉扉２７の上端部２８が収容されるよう構成される。更に、図３に示すように、前記取付基板２２における前記開口部２３の両側に位置する上縁には、前記第１のテーパ５６と同様に、前方へ向けて所要角度で下方傾斜する第４のテーパ６４,６４が、該第１のテーパ５６の両側から取付基板２２の両側縁に掛けて連続的に形成されている。
【００１８】
前記取付基板２２における開閉扉２７の両側方に形成された前記第２の立体文字５２,５２には、その外周縁であって取付基板２２の上縁(前記第４のテーパ６４)に近接する部位(上外周縁部)に第３のテーパ６０が形成されている。この第３のテーパ６０は、取付基板２２の前面から第２の立体文字５２の前面に向けて下方傾斜すると共に、その傾斜角度が前記第４のテーパ６４の傾斜角度と略同一に設定されている(図６参照)。更に、第３のテーパ６０における最上部は、第４のテーパ６４に連続するよう構成され、両テーパ６０,６４により１つの連続面を構成するようになっている。また、各第２の立体文字５２における前記開閉扉２７から離間した側の外周側縁部には、前記取付基板２２の前面から第２の立体文字５２の前面に掛けて緩やかに立ち上がる第５のテーパ６１が、前記第３のテーパ６０に連続して形成されている。前記取付基板２２における開口部２３の下方に設けられた前記第３の立体文字５４は、前記第２の立体文字５２と同様に、取付基板２２の前面から所要高さで盛り上がるよう形成されている。なお、実施例では、第３の立体文字５４はアルファベット文字の下半分を構成し、第３の立体文字５４と開閉扉２７の前面に形成された前記第１の立体文字５０とにより１つのアルファベット文字を構成している。
【００１９】
前記開口部２３を開閉自在に閉成する開閉扉２７は、開口部２３に略整合する横長矩形板状に形成され、その左右側面の下端部に設けた軸部２７ａ,２７ａ(図７に一方のみ図示)を介して装置本体２１に対して前後方向に揺動可能に枢支される。また、開閉扉２７の前面には、前記第１の立体文字５０が所要高さで盛り上がるよう形成され、開閉扉２７の意匠面を構成している。そして、パチンコ機が特別遊技状態となったときに、前記開閉扉２７が閉成位置から開放位置まで姿勢変位することで、前記開口部２３(入賞口６８)を開放するよう構成される。前述したように、前記開閉扉２７の上端部２８は、該開閉扉２７が閉成位置にあるときに、前記当接部２６の前側の凹部６２に収容状態で該当接部２６に当接するようになっている。すなわち、前記開閉扉２７の上下寸法ｌ2を前記入賞口６８の上下寸法ｌ1よりも大きく設定し、図４(ａ)に示す閉成位置にあって、開閉扉２７の上端部２８が当接部２６と重なり合った状態とされる。また、開閉扉２７の上下寸法ｌ2は、図４(ｂ)に示す開放位置にあって、開閉扉２７の上端部２８と遊技盤１０を保護する前記保護ガラス１８との離間距離が僅かとなるように設定されている。
【００２０】
前記開閉扉２７の上端部２８における上縁には、図５に示すように、前記取付基板２２の第１のテーパ５６と略同一角度で下方傾斜する第２のテーパ５８が形成されている。そして、開閉扉２７が前記開口部２３を閉成した際に、前記第１,第２のテーパ５６,５８が略連続的に整列して１つの連続面を形成するようになっている。
【００２１】
更に、図４(ａ)に示すように、前記開閉扉２７の回動中心である軸部２７ａは、前記装置本体２１における入賞口６８の前方であって前記当接部２６前より後方側で軸支されている。従って、前記上端部２８が当接部２６に当接した際に、前記開閉扉２７は、その前面が下方から上端部２８へ向けて前方に傾斜する姿勢とされる。そして、この閉成位置にあって、前記第１の立体文字５０は、開閉扉２７の上端部２８前面において最も前方に位置する部位(以下、前端部２８ａと云う)よりも後方に位置するよう設定されている。すなわち、閉成位置にある開閉扉２７は、上端部２８が前方へ臨む傾斜姿勢となって、前記前端部２８ａが第１の立体文字５０よりも前方に位置するようになっている(図４(ａ)の線分Ｌ参照)。換言すれば、前記第１の立体文字５０が前記開閉扉２７の前面から盛り上がる高さは、閉成位置における開閉扉２７の前端部２８ａよりも後方に位置する値に設定されている。なお、図４(ａ)に示すように、前記第３の立体文字５４については、その盛り上がる高さが、閉成時における前記開閉扉２７の前端部２８ａと略一致するようになっている。また、図４(ｂ)に示すように、第２の立体文字５２は、前記第３の立体文字５４と同じ高さに設定されているので、該第２の位体文字５２についても、閉成時における開閉扉２７の前端部２８ａと略一致する。なお、図７に示すように、前記開閉扉２７の裏面における左側部には、後述の揺動部材２４と当接・係合して開閉扉２７の開閉に寄与する略Ｕ字状の係合部６６が後方へ向けて突出成形されている。
【００２２】
(装置本体について)
遊技盤１０の後方に配設される装置本体２１は、図２(ａ)に示すように、その左側後部に、開閉扉２７の駆動源をなすソレノイド３２が組み付けられ、該ソレノイド３２の前面から弾性部材３４により常に前方側へ付勢されたプランジャ３６が前後方向へスライド自在に延出している。図７に示すように、前記プランジャ３６の前方端に設けられた円盤状の係合板３８は、ソレノイド３２の前方に位置する揺動部材２４の連結部２４ａと連結している。この揺動部材２４は、基部４０の前部から前方へ突出する延出片４２を備え、前記装置本体２１の内部に支軸４０ａを介して上下方向に揺動自在に配設される。前記揺動部材２４の基部４０は、前記プランジャ３６の係合板３８と係合しており、該プランジャ３６が前後にスライドすることで、揺動部材２４が支軸４０ａを中心として揺動されるようになっている。
【００２３】
前記延出片４２の前端は、前記開閉扉２７の係合部６６と係合しており、図７(ａ)に示すように、前記ソレノイド３２の非励磁状態にあっては、前記プランジャ３６が弾性部材３４によって前方へ伸びた状態となり、前記揺動部材２４が開閉扉２７を閉成位置に姿勢保持する。また、図７(ｂ)に示すように、前記ソレノイド３２が励磁されると、前記プランジャ３６が弾性部材３４の弾性力に抗して引き込まれ、前記揺動部材２４は、延出片４２を前方側へ上方傾斜させて開閉扉２７を開放位置まで回動させるようになっている。
【００２４】
装置本体２１の前面に開設された入賞口６８の両側下部には、前記開閉扉２７の軸部２７ａ,２７ａを回動自在に支持する軸受部２１ａ,２１ａ(図２(ａ)参照)が設けられている。また、図２(ｂ)に示すように、装置本体２１の入賞空間２５内には、前記入賞口６８に入賞したパチンコ球Ｓを後方へ送る案内路７０が設けられている。この案内路７０は、装置本体２１の下面に設けた排出口７２へ向けて僅かに下方傾斜している。また、前記案内路７０および排出口７２の間にカウンタスイッチ２１ｂが設けられ、前記開口部２３に入賞したパチンコ球Ｓは該カウンタスイッチ２１ｂで検知されるようになっている。このカウンタスイッチ２１ｂは、前記入賞空間２５内において、パチンコ球Ｓが通過する通過口７４を前後に向けて開口させると共に、上方へ向けて僅かに後方傾斜した状態で配設されている。従って、前記通過口７４の下面７４ａが後方へ向けて下方傾斜して、前記案内路７０と共に１つの送り面が形成されている。そして、カウンタスイッチ２１ｂがパチンコ球Ｓを検知すると、賞球としてのパチンコ球Ｓ(例えば、１５個)が遊技者の手元に払い出されるようになっている。なお、図２(ｂ)の想像線で示すように、従来のカウンタスイッチ２１ｂは、前記通過口７４を上下方向に開放させた向けて前記装置本体２１の下面から突出した状態で配設されていた。従って、従来では、カウンタスイッチ２１ｂが装置本体２１から突出する分だけ該本体２１の上下寸法が嵩張る難点があった。しかるに実施例では、カウンタスイッチ２１ｂを入賞空間２５内に傾斜状態で配設することで、装置本体２１の上下寸法の縮小化が図られている。
【００２５】
〔実施例の作用〕
次に、実施例に係る入賞装置２０の作用につき説明する。前記遊技盤１０に設けたレール１０ａに沿って遊技領域１１に打出されたパチンコ球Ｓは、遊技盤１０上に設けた遊技釘や風車等に接触して流下方向を変更しながら流下する。このとき前記ソレノイド３２は非励磁状態にあり、図７(ａ)に示すように、前記プランジャ３６が弾性部材３４の弾性力によって前方側へ伸ばされている。この状態では、前記延出片４２が前記係合部６６の下部と当接して開閉扉２７は閉成位置に維持されてパチンコ球Ｓの開口部２３への入賞が規制される。
【００２６】
前記遊技領域１１を流下するパチンコ球Ｓが前記始動入賞装置１６に入賞すると、前記図柄表示装置１３において所要の図柄変動ゲームが開始され、該図柄変動ゲームの結果、図柄表示装置１３に特定の図柄組合わせが表示されると特別遊技が発生する。すると、前記ソレノイド３２が励磁されて、前記プランジャ３６が弾性部材３４の弾性力に抗して引き込まれる。これにより、図７(ｂ)に示すように、前記揺動部材２４が開放方向へ揺動され、前記延出片４２が前記係合部６６を押し上げることで開閉扉２７が開放位置まで回動してパチンコ球Ｓの開口部２３への入賞が許容される。所定条件のもとで前記特別遊技が終了すると、前記ソレノイド３２への通電が停止して、前記プランジャ３６が弾性部材３４によって前方へスライドされる。これに伴い、前記揺動部材２４が下方へ揺動し、前記延出片４２が係合部６６に当接係合して該係合部６６を押し下げ、開閉扉２７を閉成させる。
【００２７】
ここで、前記入賞装置２０における遊技盤１０の前面に臨む取付基板２２や開閉扉２７の前面に形成された前記第１〜第３の立体文字５０,５２,５４は、色彩や模様等の塗装が施されているが、遊技盤１０を流下するパチンコ球Ｓが入賞装置２０を通過する際にこれらの立体文字５２,５２,５４に接触して塗装が剥がれてしまうことがある。しかるに、実施例に係る入賞装置２０では、閉成位置の開閉扉２７が、図４(ａ)に示す如く、下方から上端部２８へ向けて該上端部２８が前方へ突出する傾斜姿勢とされている。しかも、閉成位置にある開閉扉２７の前端部２８ａは、前記第１の立体文字５０よりも前方に位置するようになっている。従って、図４(ａ)に示すように、入賞装置２０の前側を通過するパチンコ球Ｓが第１の立体文字５０に接触し難くなり、該立体文字５０の塗装が剥離するのを抑制することができる。
【００２８】
更に、図５に示すように、取付基板２２の当接部２６の上縁および開閉扉２７の上端部２８には、略同一角度で下方傾斜する第１,第２のテーパ５６,５８が略連続するよう形成されている。従って、入賞装置２０の上方から落下するパチンコ球Ｓの流下方向は、第１,第２のテーパ５６,５８がなす面によって前方へ変更され、パチンコ球Ｓが前記第１,第３の立体文字５０,５４に接触するのを更に抑制することができる。
【００２９】
また、図６に示すように、取付基板２２の上縁における開閉扉２７の両側には、第４のテーパ６４,６４が夫々形成されると共に、前記第２の立体文字５２,５２に設けた第３のテーパ６０,６０が該第４のテーパ６４,６４に連続して連続面を構成している。従って、入賞装置２０における開閉扉２７の前面両側を通過するパチンコ球Ｓは、前記第３,第４のテーパ６０,６４がなす連続面により流下方向が前方へ変更され、取付基板２２に設けた第２の立体文字５２とパチンコ球Ｓとの接触も抑制することが可能となる。すなわち、実施例に係る入賞装置２０においては、パチンコ球Ｓの流下方向を各テーパ５６,５８,６０,６４によって前方へ変更させるので、入賞装置２０の前面にパチンコ球Ｓが接触する確率が低減し、第１〜第３の立体文字５０,５２,５４の塗装が剥離するのを好適に抑制し得る。
【００３０】
また、実施例に係る入賞装置２０では、前記開閉扉２７の上端部２８が、閉成時に取付基板２２の凹部６２に収容される構成としたので、流下してきたパチンコ球Ｓが上端部２８に衝突して開閉扉２７が勝手に開放されてしまうこともない。しかも、開閉扉２７の上端部２８が凹部６２に収容される構成としたので、針金等の器具で上端部２８を引っ掛けて、開閉扉２７を不正に開放するゴト行為を抑制することができる。
【００３１】
更に、実施例に係る入賞装置２０では、開閉扉２７の上端部２８が当接部２６に当接して、該開閉扉２７が入賞口６８(開口部２３)を覆うようにして閉成する構造が採用されている。従って、従来と同じ上下寸法ｌ2の開閉扉２７を使用したもとで、入賞口６８の上下寸法ｌ1をパチンコ球Ｓが通過し得る最小限の値とすることができ、装置本体２１の上下寸法を小さくすることができる。すなわち、図柄表示装置１３の大型化に伴ない要求される入賞装置２０の上下寸法の縮小化を好適に実現することができる。しかも、開閉扉２７の上下寸法ｌ2は変更されていないので、開放時における開閉扉２７の上端部２８と前記保護ガラス１８との離間距離はこれまでと同じにでき、両者の隙間にパチンコ球Ｓが詰まって遊技に支障を来たすことがない。更に、開閉扉２７の上下寸法ｌ2を変更する必要がないことから、従来の開閉扉と同規格・サイズのものを採用でき、製品コストが高騰するのを回避し得る。
【００３２】
また、前記開口部２３を介して入賞口６８に入賞したパチンコ球Ｓは、図２(ｂ)に示すように、前記入賞空間２５内の案内路７０に後方へ案内されて前記カウンタスイッチ２１ｂを通過し、前記排出口７２を介して入賞装置２０の下方へ排出される。ここで、前記カウンタスイッチ２１ｂを装置本体２１の下面ではなく、入賞空間２５内に傾斜姿勢で配設したので、装置本体２１の上下寸法の縮小化を実現し得る。しかも、前記カウンタスイッチ２１ｂは上方へ向けて後方傾斜しているので、通過口７４の下面７４ａが案内路７０と連続してパチンコ球Ｓのスムーズは送り出しが実現される。
【００３３】
〔変更例〕
なお、実施例では、開閉扉２７が閉成位置にあって、該開閉扉２７の前端部２８ａと第２,第３の立体文字５２,５４の前面とが略一致する構成とされていた。しかしながら、必ずしも第２,第３の立体文字５２,５４の盛り上がる高さを閉成時における前端部２８ａに一致させる必要はない。例えば、図８に示す変更例に係る入賞装置１２０のように、開閉扉２７の下方に位置する第３の立体文字５４については、その前面が閉成時における開閉扉２７の前端部２８ａよりも後方に位置するようにしてもよい。このように、第３の立体文字５４が閉成時における前端部２８ａよりも後方に位置させることで、パチンコ球Ｓが該第３の立体文字５４にも接触し難くなり、該第３の立体文字５４の塗装を剥が難くし得る。
【００３４】
実施例で示した入賞装置２０では、開閉扉２７および取付基板２２に第１〜第３の立体文字５０,５２,５４を形成したが、開閉扉２７にのみ立体文字５０を形成するようにしてもよい。また、開閉扉２７や取付基板２２に形成する立体意匠は、実施例で示した如く文字に限定されず、数字や、キャラクターの図柄等、所要高さで盛り上がる立体的な意匠であればよい。従って、例えば図９に示す別の変更例に係る入賞装置１３０ように、取付基板２２および開閉扉２７の前面に第１〜第３の立体意匠５０,５２,５４を形成し、これら第１〜第３の立体意匠５０,５２,５４により１つの図柄(電車)を構成するようにしてもよい。更に、実施例においては、第２の立体文字５２にのみ、その外周縁部にテーパ(第３および第５のテーパ６０,６１)を形成したが、全ての立体文字の外周縁部にテーパを付すことも可能である。なお、実施例で示した入賞装置２０の装置本体２１の構成については、一例を示したものであり、他の構成を適宜採用することが可能である。
【図面の簡単な説明】
【００３５】
【図１】本発明の実施例に係る入賞装置が実装された遊技機の遊技盤を示す正面図である。
【図２】実施例に係る入賞装置であって、(ａ)は入賞装置の平面図を示し、(ｂ)は入賞装置の縦断面図を示している。
【図３】実施例に係る入賞装置を示す正面図である。
【図４】実施例に係る入賞装置の要部を示す図３のIV-IV線断面図であって、(ａ)は開閉扉が閉成位置にある場合を示し、(ｂ)は開閉扉が開放位置にある場合を示す。
【図５】閉成位置にある開閉扉の要部を拡大して示す縦断面図である。
【図６】実施例に係る入賞装置の要部を示す縦断側面図であって、図３のVI-VI線断面図である。
【図７】開閉扉の開閉構造を示す斜視図であって、(ａ)は開閉扉が閉成位置にある状態を示し、(ｂ)は開閉扉が開放位置にある状態を示す。
【図８】変更例に係る入賞装置を示す縦断側面図である。
【図９】別の変更例に係る入賞装置の正面図である。
【符号の説明】
【００３６】
１０ 遊技盤
２２ 取付基板
２３ 開口部
２６ 当接部
２７ 開閉扉(開閉部材)
２８ 上端部
５０,５２,５４ 第１〜第３の立体文字(立体意匠)
５６,５８,６０,６４ 第１〜第４のテーパ
６２ 凹部
６８ 入賞口
Ｓ パチンコ球(遊技球)
【図１】
2008125673.tif 000003
【図２】
2008125673.tif 000004
【図３】
2008125673.tif 000005
【図４】
2008125673.tif 000006
【図５】
2008125673.tif 000007
【図６】
2008125673.tif 000008
【図７】
2008125673.tif 000009
【図８】
2008125673.tif 000010
【図９】
2008125673.tif 000011